(57)【要約】【課題】フローティングルーフに水が溜まらないようにすることができる貯蔵タンクのフローティングルーフ構造を提供すること。【解決手段】貯蔵タンク１０は、油等の液体を貯蔵するために有底円筒状に形成されたタンク本体１０ａと、タンク本体１０ａに貯蔵された液体の液面に浮かべられる円板状のフローティングルーフ１３と、フローティングルーフ１３の中心部ｃに開口された排水口１４と連通し、当該排水口１４に集められた雨水をタンク本体１０ａの外部に排出するドレン配管１８と、を備える。フローティングルーフ１３は、外周縁部から排水口１４に向けて下り勾配形状に湾曲して形成された湾曲面１３ａと、湾曲面１３ａに立設されフローティングルーフ１３を補強する補強プレート２０と、を備える。【選択図】図１
2010235166.tif 000002
【特許請求の範囲】
【請求項１】
油等の液体を貯蔵するために有底円筒状に形成されたタンク本体と、
前記タンク本体に貯蔵された前記液体の液面に浮かべられ、中心部に排水口が設けられた円板状のフローティングルーフと、
前記排水口と連通し当該排水口に集められた雨水を前記タンク本体の外部に排出するドレン配管と、
を備える貯蔵タンクのフローティングルーフ構造であって、
前記フローティングルーフは、外周縁部から前記排水口に向けて下り勾配形状に湾曲して形成された湾曲面と、
前記湾曲面に立設され前記フローティングルーフを補強する補強プレートと、
を備えることを特徴とする貯蔵タンクのフローティングルーフ構造。
【請求項２】
前記補強プレートは、前記フローティングルーフの前記中心部から半径方向に亘って複数立設されていることを特徴とする請求項１に記載の貯蔵タンクのフローティングルーフ構造。
【請求項３】
前記補強プレートは、前記フローティングルーフの直交する二つの直径の位置に立設されていることを特徴とする請求項２に記載の貯蔵タンクのフローティングルーフ構造。
【発明の詳細な説明】
【技術分野】
【０００１】
本発明は、油等の液体を貯蔵する貯蔵タンクのフローティングルーフ構造に関する。
【背景技術】
【０００２】
従来より、原油その他の揮発性・可燃性液体を貯蔵する、大型のフローティングルーフ式の貯蔵タンク（以下、単に貯蔵タンクという）が知られている（例えば、特許文献１参照）。
【０００３】
図６は、従来の貯蔵タンクの一例を示す断面図である。図６に示すように、貯蔵タンク１００は、タンク本体１００ａと、フローティングルーフ１１３と、排水口１４と、集水ピット１７と、ドレン配管１８と、を備える。また、貯蔵タンク１００は、シール部１５及びウェザーシールド１６を備える。
【０００４】
タンク本体１００ａは、油等の液体を貯蔵するために有底円筒状に形成されている。すなわち、タンク本体１００ａは、円板状の底板部１１と、底板部１１の外周縁部に立設された円筒状の側壁部１２とから構成されている。
【０００５】
フローティングルーフ１１３は、タンク本体１００ａに貯蔵された液体の液面に浮かべられる円板状の浮屋根であり、貯蔵液体の蒸発を防止する。排水口１４は、フローティングルーフ１１３の中心部に開口され、雨水が流れ込めるようになっている。
【０００６】
フローティングルーフ１１３は、所定厚みの鉄板等により形成されており、全体としては略平坦面となっているが、外周縁部から中心の排水口１４に向けてわずかな下り勾配（水勾配）を有している。
【０００７】
シール部１５は、フローティングルーフ１１３の外周縁部に設けられ、フローティングルーフ１１３と側壁部１２とのシールを確保する。ウェザーシールド１６は、フローティングルーフ１１３の外周縁部上方に配設され、雨、雪等が貯蔵液体内に浸入するのを防止する。
【０００８】
集水ピット１７は、フローティングルーフ１１３の下面側に配置され、排水口１４からの雨水を集める。ドレン配管１８は、一端側が集水ピット１７に連結され、タンク本体１００ａ内を延びて他端側がタンク本体１００ａの外部に位置する。このドレン配管１８は、集水ピット１７に集められた雨水をタンク本体１００ａの外部に排出する。
【０００９】
なお、貯蔵タンク１００には、図示しない緊急用排出管（非常用排水装置）が設けられている。この緊急用排出管は、ドレン配管１８等の故障時やドレン配管１８等の排水能力以上の降雨時に、フローティングルーフ１１３の沈没防止を図るために、フローティングルーフ１１３上に溜まった水をタンク本体１００ａ内の貯蔵液に排水するものである。
【先行技術文献】
【特許文献】
【００１０】
【特許文献１】特開２００５−１８７０５０号公報
【発明の概要】
【発明が解決しようとする課題】
【００１１】
上記従来技術にあっては、フローティングルーフ１１３に所定の水勾配が形成されている。しかしながら、大型の貯蔵タンク１００にあっては、フローティングルーフ１１３の直径が、例えば５０メートルに及ぶものもあるため、フローティングルーフ１１３の構成部材である鉄板の一部に、撓み等によって凹部等が生じると、雨水等による水溜りが出来やすく、上記従来の水勾配では十分な排水能力を確保できなかった。
【００１２】
そして、このような水溜りを放置すると、フローティングルーフ１１３に腐食等が発生する虞があった。
【００１３】
また、ドレン配管１８等に故障等が発生していないにもかかわらず、フローティングルーフ１１３上に溜まった水が、上記緊急用排出管を介してタンク本体１００ａ内に流れ込む虞もあった。
【００１４】
したがって、フローティングルーフに水が溜まらないようにすることができる手段の提供が望まれていた。
【００１５】
本発明は、上記に鑑みてなされたものであって、フローティングルーフに水が溜まらないようにすることができる貯蔵タンクのフローティングルーフ構造を提供することを目的とする。
【課題を解決するための手段】
【００１６】
上記目的を達成するため、本発明は、以下のような貯蔵タンクのフローティングルーフ構造を提供する。
【００１７】
（１）  油等の液体を貯蔵するために有底円筒状に形成されたタンク本体と、前記タンク本体に貯蔵された前記液体の液面に浮かべられ、中心部に排水口が設けられた円板状のフローティングルーフと、前記排水口と連通し当該排水口に集められた雨水を前記タンク本体の外部に排出するドレン配管と、を備える貯蔵タンクのフローティングルーフ構造であって、前記フローティングルーフは、外周縁部から前記排水口に向けて下り勾配形状に湾曲して形成された湾曲面と、前記湾曲面に立設され前記フローティングルーフを補強する補強プレートと、を備えることを特徴とする。
【００１８】
フローティングルーフ上に降った雨水は、降雨量にかかわらず、湾曲面に沿って排水口に円滑に流れる。すなわち、フローティングルーフには、従来のような平坦面がないので、雨水が滞留することがない。そして、排水口に到達した雨水は、ドレン配管によってタンク本体の外部に円滑に排出される。
【００１９】
したがって、（１）の発明によれば、フローティングルーフに水が溜まらないようにすることができる。また、フローティングルーフは、補強プレートによって補強されているので、フローティングルーフが湾曲形成されていても強度が低下することがなく、地震等の振動の作用によりスロッシング（液面揺動）が生じても、変形や破壊を抑制することができる。
【００２０】
（２）  （１）の発明においては、前記補強プレートは、前記フローティングルーフの前記中心部から半径方向に亘って複数立設されていることが好ましい。
【００２１】
（２）の発明によれば、貯蔵タンクの容量や大きさに応じて補強プレートの立設数を適宜増減することにより、フローティングルーフの強度を容易に確保することができる。
【００２２】
（３）  （２）に記載の発明においては、前記補強プレートは、前記フローティングルーフの直交する二つの直径の位置に立設されていることが好ましい。
【００２３】
（３）の発明によれば、きわめて簡易な構造でフローティングルーフの強度を容易に確保することができる。
【発明の効果】
【００２４】
本発明によれば、フローティングルーフには、従来のような平坦面がないので、フローティングルーフ上に降った雨水は、湾曲面に沿って排水口に円滑に流れる。したがって、フローティングルーフに水が溜まらないようにすることができる。
【図面の簡単な説明】
【００２５】
【図１】本発明の実施形態に係るフローティングルーフを示す斜視図である。
【図２】フローティングルーフを示す平面図である。
【図３】貯蔵タンクを示す断面図である。
【図４】他のフローティングルーフを示す平面図である。
【図５】他のフローティングルーフを示す平面図である。
【図６】従来の貯蔵タンクの一例を示す断面図である。
【発明を実施するための形態】
【００２６】
以下に、本発明の実施形態を図面に基づいて詳細に説明する。なお、この実施形態により本発明が限定されるものではない。
【００２７】
図１は、本発明の実施形態に係るフローティングルーフを示す斜視図である。図２は、フローティングルーフを示す平面図である。図３は、貯蔵タンクを示す断面図である。
【００２８】
図３に示すように、貯蔵タンク１０は、タンク本体１０ａと、フローティングルーフ１３と、排水口１４と、集水ピット１７と、ドレン配管１８と、を備える。また、貯蔵タンク１０は、シール部１５及びウェザーシールド１６を備える。
【００２９】
タンク本体１０ａは、図３に示すように、油等の液体を貯蔵するために有底円筒状に形成されている。すなわち、タンク本体１０ａは、円板状の底板部１１と、底板部１１の外周縁部に立設された円筒状の側壁部１２とから構成されている。
【００３０】
フローティングルーフ１３は、図３に示すように、タンク本体１０ａに貯蔵された液体の液面に浮かべられる円板状の浮屋根であり、貯蔵液体の蒸発を防止する。排水口１４は、図１〜図３に示すように、フローティングルーフ１３の中心部ｃに開口された円形穴であり、雨水が流れ込めるようになっている。
【００３１】
また、フローティングルーフ１３は、図１〜図３に示すように、外周縁部から排水口１４に向けて下方に向かって凸となるように湾曲して形成された湾曲面１３ａと、湾曲面１３ａに立設され、フローティングルーフ１３を補強する４つの補強プレート２０と、を備える。
【００３２】
湾曲面１３ａは、図１及び図３に示すように、排水口１４が最も低くなるように断面円弧状に形成されている。湾曲面１３ａの勾配は、例えば、３万ＫＬの貯蔵タンク１０において、１：７０程度とすることができるが、貯蔵タンク１０の容量や大きさ等に応じて適宜増減可能である。
【００３３】
４つの補強プレート２０は、図１〜図３に示すように、フローティングルーフ１３の直交する二つの直径の位置に立設されている。フローティングルーフ１３と補強プレート２０の底部２０ａとは、溶接等により固定されている。
【００３４】
この４つの補強プレート２０で区画されたフローティングルーフ１３の中心部ｃには、それぞれ上記排水口１４が設けられている。
【００３５】
シール部１５は、フローティングルーフ１３の外周縁部に設けられ、フローティングルーフ１３と側壁部１２とのシールを確保する。シール部１５は、例えば、ウレタンフォーム等のシール材をゴムシートで被覆し、フローティングルーフ１３に固定されている。すなわち、フローティングルーフ１３は、シール部１５の上記ゴムシートが側壁部１２に圧接されながら、滑る構造となっている。
【００３６】
ウェザーシールド１６は、フローティングルーフ１３の外周縁部上方に配設され、雨、雪等が貯蔵液体内に浸入するのを防止する。ウェザーシールド１６も側壁部１２に圧接されながら、滑る構造となっている。
【００３７】
集水ピット１７は、フローティングルーフ１３の下面側に配置され、排水口１４からの雨水を集める。ドレン配管１８は、一端側が集水ピット１７に連結され、タンク本体１０ａ内を延びて他端側がタンク本体１０ａの外部に位置する。このドレン配管１８は、集水ピット１７に集められた雨水をタンク本体１０ａの外部に排出する。
【００３８】
なお、貯蔵タンク１０には、図示しない緊急用排出管（非常用排水装置）が設けられている。この緊急用排出管は、ドレン配管１８等の故障時やドレン配管１８等の排水能力以上の降雨時に、フローティングルーフ１３の沈没防止を図るために、フローティングルーフ１３上に溜まった水をタンク本体１０ａ内の貯蔵液に排水するものである。
【００３９】
次に、フローティングルーフ１３及び補強プレート２０の作用効果について図１〜図３を参照して説明する。
【００４０】
フローティングルーフ１３上に降った雨水は、降雨量にかかわらず、図１〜図３に示す湾曲面１３ａに沿って、最も低位置の排水口１４に円滑に流れる。すなわち、フローティングルーフ１３には、従来のような平坦面がないので、雨水が滞留することがない。
【００４１】
そして、排水口１４に到達した雨水は、図３に示す集水ピット１７に集まり、ドレン配管１８によってタンク本体１０ａの外部に円滑に排出される。
【００４２】
以上のように、この実施形態に係る貯蔵タンクのフローティングルーフ構造によれば、フローティングルーフ１３に水が溜まらないようにすることができる。
【００４３】
したがって、水溜りが原因で、フローティングルーフ１３に腐食等が発生することがない。また、水溜りが原因で、緊急用排出管を介してタンク本体１０ａ内に雨水等が流れ込む虞もない。
【００４４】
また、フローティングルーフ１３は、補強プレート２０によって補強されているので、フローティングルーフ１３が湾曲形成されていても強度が低下することがなく、地震等の振動の作用によりスロッシング（液面揺動）が生じても、変形や破壊を抑制することができる。
【００４５】
補強プレート２０は、フローティングルーフ１３の直交する二つの直径の位置に立設されているので、きわめて簡易な構造でフローティングルーフ１３の強度を容易に確保することができる。
【００４６】
なお、上記実施形態においては、補強プレート２０は、フローティングルーフ１３の直交する二つの直径の位置に立設されているものとして説明したが、これに限定されない。
【００４７】
すなわち、例えば、図４に示すように、補強プレート２０を、中心部ｃから半径方向に向けて均等に３つ立設してもよい。また、図５に示すように、補強プレート２０を、中心部ｃから半径方向に向けて均等に８つ立設してもよい。
【００４８】
これらの場合にも、簡易な構造でフローティングルーフ１３の強度を容易に確保することができる。ここで、図４及び図５は、他のフローティングルーフを示す平面図である。
【符号の説明】
【００４９】
１０  貯蔵タンク
１０ａ  タンク本体
１１  底板部
１２  側壁部
１３  フローティングルーフ
１３ａ  湾曲面
１４  排水口
１５  シール部
１６  ウェザーシールド
１７  集水ピット
１８  ドレン配管
２０  補強プレート
２０ａ  底部
ｃ  中心部
【図１】
2010235166.tif 000003
【図２】
2010235166.tif 000004
【図３】
2010235166.tif 000005
【図４】
2010235166.tif 000006
【図５】
2010235166.tif 000007
【図６】
2010235166.tif 000008